(57)【要約】【課題】発光部と光透過部との間に光を吸収する暗色部を設けることにより、発光部からの光を外部に漏らさないようにし、デザイン性及び視認性を向上させること。【解決手段】プッシャーシート２０３は、キートップシート２０１の裏面側に積層される。フレキシブル基板１０２は、プッシャーシート２０３の裏面に対向して設けられる。発光部１２２ａは、フレキシブル基板１０２のプッシャーシート２０３との対向面に設けられ、プッシャーシート２０３を介してキートップ１１１ａを背面より照光する。光透過部Ｒ１は、発光部１２２ａからの光を外部に透過可能である。暗色部３０１は、プッシャーシート２０３の裏面における発光部１２２ａと光透過部Ｒ１との間に設けられ、発光部１２２ａからの光を吸収する。【選択図】図５
2014060662.tif 000002
【特許請求の範囲】
【請求項１】
筐体と、
前記筐体に設けられ、キートップを有するキートップシートと、
前記筐体に設けられ、前記キートップシートの裏面側に積層されるプッシャーシートと、
前記プッシャーシートの裏面に対向して前記筐体に設けられる基板と、
前記基板の前記プッシャーシートとの対向面に設けられ、前記プッシャーシートを介して前記キートップを背面より照光する発光部と、
前記発光部からの光を外部に透過可能な光透過部と、
前記プッシャーシートの裏面における前記発光部と前記光透過部との間に設けられ、前記発光部からの光を吸収する暗色部と、
を有する携帯端末装置。
【請求項２】
前記光透過部は、
前記キートップシートの端部において前記キートップシートと前記筐体とを固定する固定部であり、
前記暗色部は、
前記発光部と前記固定部との間の、前記プッシャーシートの端部に設けられる、
請求項１記載の携帯端末装置。
【請求項３】
前記キートップシートは、
裏面にマイクを取り付けるマイク取付部を有し、
前記光透過部は、
前記マイク取付部の周囲に形成された前記マイクを取り付ける際のガイドであり、
前記暗色部は、
前記発光部と前記ガイドとの間に設けられる、
請求項１記載の携帯端末装置。
【請求項４】
前記基板は、
前記プッシャーシートの裏面に対向する対向面に対して折り曲げられた折り曲げ部と、前記折り曲げ部から前記筐体の側面に沿って延設されるとともに前記筐体側面に設けられたキートップに対向するスイッチを有する側面部とを有し、
前記暗色部は、
前記発光部と前記光透過部との間の、前記折り曲げ部に対向する位置に設けられる、
請求項１記載の携帯端末装置。
【請求項５】
前記プッシャーシートは、
前記発光部と対向する位置に光反射部を有する、
請求項１記載の携帯端末装置。
【請求項６】
前記暗色部は、
印刷により前記プッシャーシートに設けられる、
請求項１記載の携帯端末装置。
【発明の詳細な説明】
【技術分野】
【０００１】
本発明は、キートップを照光するための光源を有する携帯端末装置に関する。
【背景技術】
【０００２】
従来、特許文献１に示すように、キーシートを発光部により照光する携帯電子機器が知られている。特許文献１では、透過する光の量を均一に調整する透過量調整部と、発光部からの光を遮光する遮光部とをキーシートに設けて、発光部から遠い部分を光りムラなく照光する。
【０００３】
しかしながら、特許文献１に示すように、発光部を筐体中央に配置した場合には、筐体中央のキーは筐体両端側のキーに比べて輝度が高くなり、輝度ムラが生じる。
【０００４】
このため、従来は、筐体中央のキーの周囲と筐体両端側のキーの周囲とに発光部を設けて、輝度ムラをなくするようにしている。
【先行技術文献】
【特許文献】
【０００５】
【特許文献１】特開２０１１−７１９４３号公報
【発明の概要】
【発明が解決しようとする課題】
【０００６】
しかしながら、従来の装置においては、筐体の両端側のキーの周囲に配置した発光部からの光が、キーシート端面から外部へ漏れるという問題がある。即ち、従来の装置においては、図１に示すように、発光部１からの光が、遮光面２で反射しながらキーシート３の端部まで導光され、キーシート３の端部の光透過部Ｒ０から外部へ漏れるという問題がある。
【０００７】
本発明の目的は、発光部と光透過部との間に光を吸収する暗色部を設けることにより、発光部からの光を外部に漏らさないようにすることができ、デザイン性及び視認性を向上させることができる携帯端末装置を提供することである。
【課題を解決するための手段】
【０００８】
本発明に係る携帯端末装置は、筐体と、前記筐体に設けられ、キートップを有するキートップシートと、前記筐体に設けられ、前記キートップシートの裏面側に積層されるプッシャーシートと、前記プッシャーシートの裏面に対向して前記筐体に設けられる基板と、前記基板の前記プッシャーシートとの対向面に設けられ、前記プッシャーシートを介して前記キートップを背面より照光する発光部と、前記発光部からの光を外部に透過可能な光透過部と、前記プッシャーシートの裏面における前記発光部と前記光透過部との間に設けられ、前記発光部からの光を吸収する暗色部と、を有する。
【発明の効果】
【０００９】
本発明によれば、発光部と光透過部との間に光を吸収する暗色部を設けることにより、発光部からの光を外部に漏らさないようにすることができ、デザイン性及び視認性を向上させることができる。
【図面の簡単な説明】
【００１０】
【図１】従来の携帯端末装置の断面図
【図２】本発明の実施の形態１に係る携帯端末装置の分解斜視図
【図３】本発明の実施の形態１に係る携帯端末装置の斜視図
【図４】本発明の実施の形態１における発光部の配置を示す図
【図５】本発明の実施の形態１に係る携帯端末装置の要部断面図
【図６】本発明の実施の形態１におけるキーシートの分解斜視図
【図７】本発明の実施の形態１におけるキーシートの背面図
【図８】本発明の実施の形態１におけるキーシートの要部拡大図及び要部断面図
【図９】本発明の実施の形態１における折り曲げ部を有しない基板を設けた際の携帯端末装置の断面図
【図１０】本発明の実施の形態２に係る携帯端末装置の分解斜視図
【図１１】本発明の実施の形態２に係る携帯端末装置の斜視図
【図１２】本発明の実施の形態２に係る携帯端末装置の要部断面図
【図１３】本発明の実施の形態２におけるキーシートの分解斜視図
【図１４】本発明の実施の形態２におけるキーシートの背面図
【図１５】本発明の実施の形態２における発光部と暗色部との配置を示す図
【図１６】従来の３つのスイッチ部を有するスイッチ装置の側断面図
【図１７】従来の２つのスイッチ部を有するスイッチ装置の側断面図
【図１８】本発明の実施の形態３における３つのスイッチ部を有するスイッチ装置の側断面図
【図１９】本発明の実施の形態３における２つのスイッチ部を有するスイッチ装置の側断面図
【発明を実施するための形態】
【００１１】
以下、本発明の実施の形態について、図面を参照して詳細に説明する。
【００１２】
（実施の形態１）
＜携帯端末装置の構成＞
本発明の実施の形態１に係る携帯端末装置１００の構成について、図２〜図５を用いて説明する。
【００１３】
携帯端末装置１００は、キーシート１０１と、フレキシブル基板１０２と、内側筐体１０３と、プリント基板１０４と、外側筐体１０５と、電池パック１０６と、電池カバー１０７とから主に構成されている。
【００１４】
キーシート１０１には、キートップ１１１ａ、１１１ｂ及びマイク音孔１１２が設けられている。キーシート１０１の裏面には、図５に示すように、発光部１２２ａと、発光部１２２ａからの光を透過可能な光透過部Ｒ１との間に、発光部１２２ａからの光を吸収する暗色部３０１が設けられている。なお、キーシート１０１には、暗色部３０１に加えて、発光部１２２ｂからの光を吸収する暗色部３０２も設けられているが、図５では記載を省略している。また、キーシート１０１及び暗色部３０１、３０２の構成の詳細については後述する。
【００１５】
フレキシブル基板１０２には、図２に示すように、ダイヤフラムスイッチ１２１が設けられている。フレキシブル基板１０２は、キーシート１０１の裏面に対向して配置される。フレキシブル基板１０２は、図５に示すように、キーシート１０１の裏面に対向する対向面に対して背面側に略９０度に折り曲げられる折り曲げ部５０３と、折り曲げ部５０３から第２の筐体１４２の側面に沿って延設される側面部５０１とを有している。側面部５０１には、サイドキー１４４に対向するサイドキースイッチ１２３が設けられている。
【００１６】
フレキシブル基板１０２には、キーシート１０１の裏面に対向する対向面に、複数の発光部１２２ａ、１２２ｂが設けられている。発光部１２２ａ、１２２ｂは、例えばＬＥＤである。発光部１２２ａは、フレキシブル基板１０２において、図４に示すように、中央のキートップ１１１ａと両端側のキートップ１１１ａとの間、及び両端側のキートップ１１１ａとフレキシブル基板１０２の端部との間に設けられている。発光部１２２ｂは、フレキシブル基板１０２において、図４に示すように、十字キーのキートップ１１１ｂの周囲に複数設けられている。発光部１２２ａは、プッシャーシート２０３を介してキートップ１１１ａを背面より照光する。また、発光部１２２ｂは、プッシャーシート２０３を介してキートップ１１１ｂを背面より照光する。
【００１７】
内側筐体１０３には、キーシート１０１及びフレキシブル基板１０２が取り付けられている。
【００１８】
プリント基板１０４は、マイク１３１を有している。
【００１９】
外側筐体１０５は、第１の筐体１４１と、第１の筐体１４１に対して回転自在に第１の筐体１４１と接続する第２の筐体１４２とから構成されている。第２の筐体１４２には、キーシート１０１、フレキシブル基板１０２、内側筐体１０３及びプリント基板１０４が収納される。第２の筐体１４２の側面には、サイドキー１４４が設けられている。外側筐体１０５には、収納孔１４３が設けられている。第２の筐体１４２には、図５に示すように、両面テープ等の固定部５１２によりキーシート１０１の端部が固定されている。
【００２０】
電池パック１０６は、第２の筐体１４２の収納孔１４３に収納される。
【００２１】
電池カバー１０７は、第２の筐体１４２に取り付けられ、第２の筐体１４２からの電池パック１０６の脱落を阻止する。
【００２２】
光透過部Ｒ１は、図５に示すように、キーシート１０１と第２の筐体１４２とを固定する固定部５１２である。即ち、固定部５１２は、発光部１２２ａからの光を外部に透過可能である。
【００２３】
＜キーシートの構成＞
本発明の実施の形態１におけるキーシート１０１の構成について、図２〜図８を用いて説明する。なお、図８において、図８（ａ）はマイク取付部３０３の拡大平面図であり、図８（ｂ）は図８（ａ）のＡ−Ａ線断面図である。
【００２４】
キーシート１０１は、図６に示すように、キートップシート２０１と、両面テープ２０２と、プッシャーシート２０３と、筐体２０４とから主に構成されている。
【００２５】
キートップシート２０１の端部は、固定部５１２により第２の筐体１４２に固定されている。キートップシート２０１には、光透過性を有するキートップ１１１ａ、１１１ｂと、キートップシート２０１の厚み方向に貫通するマイク音孔１１２と、マイク１３１が取り付けられるマイク取付部３０３と、マイク１３１をマイク取付部３０３に取り付ける際のガイド３０４とが設けられている（図７及び図８参照）。キートップシート２０１は、図８（ｂ）に示すように、背面側から順に、光を吸収する黒色層７１１、光透過性を有するベタ印刷層７１２、及び光透過性を有するアクリルウレタン層７１３が積層されて形成されている。ここで、ガイド３０４は、キートップシート２０１の黒色層７１１を取り除いてベタ印刷層７１２を露出させることにより形成される。従って、ガイド３０４は、光透過部Ｒ１と同様に、発光部１２２ｂからの光を外部に透過可能な光透過部Ｒ２である。キートップ１１１ａは、発光部１２２ａによりプッシャーシート２０３を介して背面より照光される。キートップ１１１ｂは、発光部１２２ｂによりプッシャーシート２０３を介して背面より照光される。
【００２６】
両面テープ２０２は、キートップシート２０１及びプッシャーシート２０３に接着して、キートップシート２０１とプッシャーシート２０３とを固定する。
【００２７】
プッシャーシート２０３には、キートップ１１１ａ、１１１ｂに対向する位置に、光透過性を有する可動部２１１が設けられている。可動部２１１は、キートップ１１１ａ、１１１ｂにより押圧されて可動することによりダイヤフラムスイッチ１２１（図２参照）を押圧する。これにより、ダイヤフラムスイッチ１２１がオンする。プッシャーシート２０３は、マイク取付部３０３及びガイド３０４が設けられている領域を除いて、キートップシート２０１の裏面側に積層されている（図８（ａ）参照）。
【００２８】
プッシャーシート２０３の裏面には、発光部１２２ａと、発光部１２２ａからの光を外部に透過可能な光透過部Ｒ１との間に、発光部１２２ａからの光を吸収する複数の暗色部３０１が設けられている（図４、図５及び図７参照）。また、プッシャーシート２０３の裏面には、発光部１２２ｂとガイド３０４との間に、発光部１２２ｂからの光を吸収する暗色部３０２が設けられている（図４、図７及び図８参照）。なお、暗色部３０１、３０２の構成の詳細については後述する。
【００２９】
プッシャーシート２０３の裏面には、暗色部３０１及び暗色部３０２が設けられていない部分において、少なくとも発光部１２２ａ、１２２ｂに対向する位置に発光部１２２ａ、１２２ｂからの光を反射する白色層５１１（光反射部）が設けられている（図５参照）。白色層５１１は、発光部１２２ａ、１２２ｂからの光を反射させて、発光部１２２ａ、１２２ｂからの光をキートップ１１１ａ、１１１ｂの背面側まで導光するために設けられている。
【００３０】
筐体２０４には、キートップシート２０１及びプッシャーシート２０３が取り付けられる。
【００３１】
＜暗色部の構成＞
本発明の実施の形態１における暗色部３０１、３０２の構成について、図４〜図９を用いて説明する。
【００３２】
暗色部３０１、３０２は、発光部１２２ａ、１２２ｂの配置に対応して、以下の構成を有している。
【００３３】
即ち、暗色部３０１は、図４、図５及び図７に示すように、プッシャーシート２０３の裏面における発光部１２２ａと光透過部Ｒ１との間の、プッシャーシート２０３の端部に設けられている。本実施の形態では、暗色部３０１で発光部１２２ａからの光を吸収することにより、光透過部Ｒ１から外部に透過する光を抑制することができる。
【００３４】
暗色部３０２は、図４、図７及び図８に示すように、プッシャーシート２０３の裏面における発光部１２２ｂとガイド３０４との間に設けられている。本実施の形態では、暗色部３０２で発光部１２２ｂからの光を吸収することにより、ガイド３０４から外部に透過する光を抑制することができる。
【００３５】
ここで、暗色部３０１、３０２は、光を吸収することができる色彩により形成されている。暗色部３０１、３０２の色彩は、黒色であることが好まし。
【００３６】
プッシャーシート２０３は、図８（ｂ）に示すように、背面側から順番に、光透過性を有するシリコン層７０１、光を反射する白色層７０２、光を吸収する暗色層７０３、及びポリフィルム層７０４が印刷により積層されて形成されている。これより、暗色部３０１は、プッシャーシート２０３において、白色層７０２を取り除いて、シリコン層７０１を介して暗色層７０３を背面側に露出させることにより形成される。また、暗色部３０２は、白色層７０２を取り除いて、シリコン層７０１を介して暗色層７０３を背面側に露出させることにより形成される。
【００３７】
なお、プッシャーシート２０３は、積層方向において２層の白色層により暗色層を挟み込むように積層した構成でもよい。
【００３８】
図５に示すように、折り曲げられたフレキシブル基板１０２を用いる場合には、第２の筐体１４２内において、折り曲げるためのスペースを確保する必要がある。この場合には、図９に示すような光漏れ防止部５０２を設けることができない。従って、本実施の形態では、発光部１２２ａと光透過部Ｒ１との間の折り曲げ部５０３に対向する位置に暗色部３０１を設ける。これにより、本実施の形態では、折り曲げられたフレキシブル基板１０２を用いる場合であっても、光透過部Ｒ１から外部に漏れる光を確実に抑制することができる。
【００３９】
＜発光部から出射された光の光路＞
本発明の実施の形態１における発光部１２２ａから出射された光の光路について、図５を用いて説明する。
【００４０】
図５に示すように、発光部１２２ａからキートップ１１１ａの方向に出射された光Ｓ１は、白色層５１１で反射しながらキートップ１１１ａの背面側に導光され、キートップ１１１ａを背面から照光する。また、発光部１２２ａからキーシート１０１の端部方向に出射された光Ｓ２は、暗色部３０１で吸収される。この結果、光Ｓ２における光透過部Ｒ１より外部に漏れる光の量を、抑制することができる。
【００４１】
＜実施の形態１の効果＞
本実施の形態によれば、発光部と光透過部との間に光を吸収する暗色部を設けることにより、発光部からの光を外部に漏らさないようにすることができ、デザイン性及び視認性を向上させることができる。
【００４２】
また、本実施の形態では、フレキシブル基板を折り曲げて収納する場合に、折り曲げ部に対向する位置に暗色部を設ける。これにより、本実施の形態によれば、外部への光の透過を防止する光漏れ防止部を形成することができない場合であっても、外部へ漏れる光を確実に抑制することができる。
【００４３】
また、本実施の形態によれば、印刷により暗色部を形成するので、簡易な方法により暗色部を形成することができる。
【００４４】
また、本実施の形態によれば、暗色部をプッシャーシートの端部に設けたので、キートップを照光する際の輝度が低下することを防止することができる。
【００４５】
また、本実施の形態では、プッシャーシートの少なくとも発光部に対向する位置に白色層を設けることにより、発光部からの光を白色層により反射させてキートップまで導光する。これにより、本実施の形態によれば、キートップを照光する際の輝度の低下及び輝度ムラを防ぐことができる。
【００４６】
＜実施の形態１の変形例＞
本実施の形態１において、固定部５１２及びガイド３０４から外部に光が透過しないようにしたが、固定部５１２及びガイド３０４以外の、発光部１２２ａ、１２２ｂからの光が透過可能な光透過部から外部に光が透過しないようにしてもよい。
【００４７】
（実施の形態２）
＜携帯端末装置の構成＞
本発明の実施の形態２に係る携帯端末装置１０００の構成について、図１０〜図１２を用いて説明する。
【００４８】
携帯端末装置１０００は、タッチパネルモジュール１００１と、キーシート１００２と、第１の外側筐体１００３と、基板１００４と、パネルスイッチ１００５と、第２の外側筐体１００６と、電池パック１００７と、電池カバー１００８とから主に構成されている。携帯端末装置１０００は、例えばスマートフォン（高機能携帯電話）である。
【００４９】
タッチパネルモジュール１００１は、タッチパネルを表面に有している。
【００５０】
キーシート１００２は、キートップ１０１１を有している。キーシート１００２の裏面には、図１２に示すように、発光部１０２２と光透過部Ｒ３との間に、発光部１０２２からの光を吸収する暗色部１３０１が設けられている。なお、キーシート１００２及び暗色部１３０１の構成の詳細については後述する。
【００５１】
近年、スマートフォン等のタッチパネルを有する携帯端末装置１０００は、大画面化の傾向にある。また、携帯端末装置１０００におけるキーシート１００２を配置するためのスペースは、携帯性を確保するために携帯端末装置１０００全体を大きくできないため、タッチパネルモジュール１００１のタッチパネルが大きくなるほど狭くならざるを得ない。この結果、発光部１０２２とキーシート１００２の端部との距離が短くなり、発光部１０２２からの光がキーシート１００２の端部から漏れやすくなる。従って、本実施の形態では、暗色部１３０１を設けることにより、キーシート１００２を配置するためのスペースが少ない場合であっても、発光部１０２２からの光がキーシート１００２の端部より外部に漏れることを抑制することができる。なお、キーシート１００２の構成の詳細については後述する。
【００５２】
第１の外側筐体１００３の下方には、厚み方向に貫通する取付孔１０１２が設けられている。第１の外側筐体１００３には、タッチパネルモジュール１００１及びキーシート１００２が所定の位置に取り付けられる。取付孔１０１２には、キーシート１００２が取り付けられ、キーシート１００２により上面側が覆われる。
【００５３】
基板１００４には、フレキシブル基板１０２１が設けられている。フレキシブル基板１０２１には、発光部１０２２が設けられている。基板１００４は、第１の外側筐体１００３に取り付けられる。
【００５４】
パネルスイッチ１００５には、ダイヤフラムスイッチ１０３１が設けられている。パネルスイッチ１００５は、第１の外側筐体１００３の背面側から取付孔１０１２に取り付けられる。これにより、ダイヤフラムスイッチ１０３１は、キートップ１０１１に対向する。パネルスイッチ１００５の裏面は、フレキシブル基板１０２１により支持される。
【００５５】
第２の外側筐体１００６には、収納孔１０４１が設けられている。
【００５６】
電池パック１００７は、第２の外側筐体１００６の収納孔１０４１に収納される。
【００５７】
電池カバー１００８は、第２の外側筐体１００６に取り付けられ、第２の外側筐体１００６からの電池パック１００７の脱落を阻止する。
【００５８】
光透過部Ｒ３は、図１２に示すように、キーシート１００２と第２の外側筐体１００６とを固定する固定部１５１２である。即ち、固定部１５１２は、発光部１０２２からの光を外部に透過可能である。
【００５９】
＜キーシートの構成＞
本発明の実施の形態２におけるキーシート１００２の構成について、図１２〜図１４を用いて説明する。
【００６０】
キーシート１００２は、キートップシート１２０１と、両面テープ１２０２と、プッシャーシート１２０３と、両面テープ１２０４とから主に構成されている。
【００６１】
キートップシート１２０１は、キートップ１０１１が設けられている。
【００６２】
両面テープ１２０２は、キートップシート１２０１及びプッシャーシート１２０３に接着して、キートップシート１２０１とプッシャーシート１２０３とを接着する。
【００６３】
プッシャーシート１２０３は、キートップ１０１１に対向する位置に可動部１２１１が設けられている。可動部１２１１は、キートップ１０１１により押圧されて可動することによりダイヤフラムスイッチ１０３１（図１０参照）を押圧する。これにより、ダイヤフラムスイッチ１０３１がオンする。プッシャーシート１２０３の裏面には、発光部１０２２と発光部１０２２からの光を外部に透過可能な光透過部Ｒ３との間に、発光部１０２２からの光を吸収する複数の暗色部１３０１が設けられている（図１２及び図１４参照）。なお、暗色部１３０１の構成の詳細については後述する。
【００６４】
両面テープ１２０４は、プッシャーシート１２０３及び第１の外側筐体１００３（図１０参照）に接着し、プッシャーシート１２０３を第１の外側筐体１００３に固定する。
【００６５】
＜暗色部の構成＞
本発明の実施の形態２における暗色部１３０１の構成について、図１２〜図１５を用いて説明する。
【００６６】
発光部１０２２は、図１５に示すように、フレキシブル基板１０２１のプッシャーシート１２０３との対向面において、隣り合うキートップ１０１１の間に複数設けられている。
【００６７】
暗色部１３０１は、上記の発光部１０２２の配置に対応して、以下の構成を有している。
【００６８】
即ち、暗色部１３０１は、図１２に示すように、プッシャーシート１２０３の裏面における発光部１０２２と光透過部Ｒ３との間に設けられている。暗色部１３０１は、複数設けられている。暗色部１３０１は、プッシャーシート１２０３の端部に設けられている。
【００６９】
暗色部１３０１は、光を吸収することができる色彩により形成されている。暗色部１３０１の色彩は、黒色であることが好まし。
【００７０】
プッシャーシート１２０３は、図８（ｂ）のプッシャーシート２０３と同様の各層が同様の順番で印刷により積層されて形成されている。従って、暗色部１３０１は、上記実施の形態１と同様に、白色層を取り除くことにより形成することができる。
【００７１】
＜発光部から出射された光の光路＞
本発明の実施の形態２における発光部１０２２から出射された光の光路について、図１２を用いて説明する。
【００７２】
図１２に示すように、発光部１０２２からキートップ１０１１の方向に出射された光Ｓ１１は、キートップ１０１１を背面から照光する。また、発光部１０２２からキーシート１００２の端部方向に出射された光Ｓ１２は、暗色部１３０１で吸収される。この結果、光Ｓ１２における光透過部Ｒ３より外部に漏れる光の量を、抑制することができる。
【００７３】
＜実施の形態２の効果＞
本実施の形態によれば、発光部と光透過部との間に光を吸収する暗色部を設けることにより、発光部からの光を外部に漏らさないようにすることができ、デザイン性及び視認性を向上させることができる。
【００７４】
また、本実施の形態によれば、印刷により暗色部を形成するので、簡易な方法により暗色部を形成することができる。
【００７５】
また、本実施の形態によれば、タッチパネルを大きくしたことによりキーシートを配置するスペースが狭くなる場合において、発光部からの光を確実に外部に漏らさないようにすることができる。
【００７６】
また、本実施の形態によれば、暗色部をプッシャーシートの端部に設けたので、キートップを照光する際の輝度が低下することを防止することができる。
【００７７】
＜実施の形態２の変形例＞
本実施の形態２において、固定部１５１２から外部に光が透過しないようにしたが、固定部１５１２以外の、発光部１０２２からの光が透過可能な光透過部から外部に光が透過しないようにしてもよい。
【００７８】
（実施の形態３）
＜従来の構成＞
従来、図１６に示すように、十字キー等の各スイッチ部１６０１ａ〜１６０１ｃが近接して配置される電子機器のスイッチ装置１６００が知られている。このようなスイッチ装置１６００は、可動シート１６１１と、可動シート１６１１と一体に形成されたアクチュエータ１６１２ａ〜１６１２ｃと、基板１６１３と、基板１６１３上に設けられたドーム状のダイヤフラムスイッチ１６１４ａ〜１６１４ｃとから構成されている。
【００７９】
アクチュエータ１６１２ａ〜１６１２ｃの下端は、ダイヤフラムスイッチ１６１４ａ〜１６１４ｃのドームの頂部に各々当接している。可動シート１６１１と共にアクチュエータ１６１２ｂが下方に押圧された際には、アクチュエータ１６１２ｂは、下方に移動してダイヤフラムスイッチ１６１４ｂを弾性変形させることによりスイッチをオンにする。
【００８０】
可動シート１６１１の下方への押圧力を開放した際には、アクチュエータ１６１２ｂは、ダイヤフラムスイッチ１６１４ｂの弾性力により、可動シート１６１１と共に上方に押圧されて元の位置に戻って静止する。
【００８１】
＜従来の課題＞
しかしながら、従来のスイッチ装置では、真ん中のアクチュエータ１６１２ｂが押圧された場合、アクチュエータ１６１２ａの下端全体がダイヤフラムスイッチ１６１４ａに当接し、可動シート１６１１が撓むのを阻止しようとする。また、従来のスイッチ装置では、アクチュエータ１６１２ｃの下端全体がダイヤフラムスイッチ１６１４ｃに当接し、可動シート１６１１が撓むのを阻止しようとする。このため、従来のスイッチ装置では、アクチュエータ１６１２ｂを押圧した際に、良好なクリック感を得ることができないという課題がある。
【００８２】
上記の課題は、図１７に示す近接する２つのスイッチ部１７０１ａ、１７０１ｂから構成されるスイッチ装置１７００においても生じる。
【００８３】
＜実施の形態３におけるスイッチ装置の構成１＞
図１８は、本発明の実施の形態３におけるスイッチ装置１８００の側断面図である。
【００８４】
スイッチ装置１８００は、可動シート１８１１と、可動シート１８１１と一体に形成されたアクチュエータ１８１２ａ〜１８１２ｃと、基板１８１３と、基板１８１３上に設けられたドーム状のダイヤフラムスイッチ１８１４ａ〜１８１４ｃとから構成されている。
【００８５】
本実施の形態におけるスイッチ装置１８００は、上記の従来の課題を解決するために、図１８に示す構成を有している。即ち、スイッチ装置１８００では、可動シート１８１１が押圧されていない場合において、アクチュエータ１８１２ｂの可動方向に対して直交する方向においてアクチュエータ１８１２ｂから離れるほど、アクチュエータ１８１２ａの下端が基板１８１３に近づくように、アクチュエータ１８１２ａの下端を傾斜させる。また、スイッチ装置１８００では、可動シート１８１１が押圧されていない場合において、アクチュエータ１８１２ｂの可動方向に対して直交する方向においてアクチュエータ１８１２ｂから離れるほど、アクチュエータ１８１２ｃの下端が基板１８１３に近づくように、アクチュエータ１８１２ｃの下端を傾斜させる。
【００８６】
＜実施の形態３におけるスイッチ装置の構成１における動作＞
図１８では、アクチュエータ１８１２ｂは、下方に押圧された際には、下方に移動してダイヤフラムスイッチ１８１４ｂを弾性変形させることによりスイッチをオンにする。
【００８７】
この際、アクチュエータ１８１２ａの下端は傾斜しているので、アクチュエータ１８１２ｂを下方に押圧する初期動作の頃は、アクチュエータ１８１２ａの下端の一部とダイヤフラムスイッチ１８１４ａとが当接するだけである。また、アクチュエータ１８１２ｃの下端は傾斜しているので、アクチュエータ１８１２ｂを下方に押圧する初期動作の頃は、アクチュエータ１８１２ｃの下端の一部とダイヤフラムスイッチ１８１４ｃとが当接するだけである。
【００８８】
従って、本実施の形態におけるスイッチ装置１８００では、図１６に示す従来のスイッチ装置１６００に比べて、可動シート１８１１が撓むのを阻止する力が弱くなる。
【００８９】
＜実施の形態３におけるスイッチ装置の構成２＞
図１９は、本発明の実施の形態３におけるスイッチ装置１９００の側断面図である。
【００９０】
スイッチ装置１９００は、可動シート１９１１と、可動シート１９１１と一体に形成されたアクチュエータ１９１２ａ、１９１２ｂと、基板１９１３と、基板１９１３上に設けられたドーム状のダイヤフラムスイッチ１９１４ａ、１９１４ｂとから構成されている。
【００９１】
本実施の形態におけるスイッチ装置１９００は、上記の従来の課題を解決するために、図１９に示す構成を有している。即ち、スイッチ装置１９００では、可動シート１９１１が押圧されていない場合において、アクチュエータ１９１２ｂの可動方向に対して直交する方向においてアクチュエータ１９１２ｂから離れるほど、アクチュエータ１９１２ａの下端が基板１９１３に近づくように、アクチュエータ１９１２ａの下端を傾斜させる。また、スイッチ装置１９００では、可動シート１９１１が押圧されていない場合において、アクチュエータ１９１２ａの可動方向に対して直交する方向においてアクチュエータ１９１２ａから離れるほど、アクチュエータ１９１２ｂの下端が基板１９１３に近づくように、アクチュエータ１９１２ｂの下端を傾斜させる。
【００９２】
＜実施の形態３におけるスイッチ装置の構成２における動作＞
図１９では、アクチュエータ１９１２ｂは、下方に押圧された際には、下方に移動してダイヤフラムスイッチ１９１４ｂを弾性変形させることによりスイッチをオンにする。この際、アクチュエータ１９１２ａの下端は傾斜しているので、アクチュエータ１９１２ｂを下方に押圧する初期動作の頃は、アクチュエータ１９１２ａの下端の一部とダイヤフラムスイッチ１９１４ａとが当接するだけである。
【００９３】
また、アクチュエータ１９１２ａは、下方に押圧された際には、下方に移動してダイヤフラムスイッチ１９１４ａを弾性変形させることによりスイッチをオンにする。この際、アクチュエータ１９１２ｂの下端は傾斜しているので、アクチュエータ１９１２ａを下方に押圧する初期動作の頃は、アクチュエータ１９１２ｂの下端の一部とダイヤフラムスイッチ１９１４ｂとが当接するだけである。
【００９４】
従って、本実施の形態におけるスイッチ装置１９００では、図１７に示す従来のスイッチ装置１７００に比べて、可動シート１９１１が撓むのを阻止する力が弱くなる。
【００９５】
＜実施の形態３の効果＞
このように、本実施の形態によれば、アクチュエータの下端を傾斜させることにより、スイッチ部が近接する場合であっても、良好なクリック感を得ることができる。
【産業上の利用可能性】
【００９６】
本発明は、キートップを照光するための光源を有する携帯端末装置に好適である。
【符号の説明】
【００９７】
１００  携帯端末装置
１０１  キーシート
１０２  フレキシブル基板
１１１ａ、１１１ｂ  キートップ
１２１  ダイヤフラムスイッチ
１２２ａ、１２２ｂ  発光部
１２３  サイドキースイッチ
１４２  第２の筐体
２０１  キートップシート
２０３  プッシャーシート
３０１  暗色部
５０１  側面部
５０３  折り曲げ部
５１１  白色層
５１２  固定部
Ｒ１  光透過部
【図１】
2014060662.tif 000003
【図２】
2014060662.tif 000004
【図３】
2014060662.tif 000005
【図４】
2014060662.tif 000006
【図５】
2014060662.tif 000007
【図６】
2014060662.tif 000008
【図７】
2014060662.tif 000009
【図８】
2014060662.tif 000010
【図９】
2014060662.tif 000011
【図１０】
2014060662.tif 000012
【図１１】
2014060662.tif 000013
【図１２】
2014060662.tif 000014
【図１３】
2014060662.tif 000015
【図１４】
2014060662.tif 000016
【図１５】
2014060662.tif 000017
【図１６】
2014060662.tif 000018
【図１７】
2014060662.tif 000019
【図１８】
2014060662.tif 000020
【図１９】
2014060662.tif 000021